(57)【要約】      （修正有）【課題】仮符号化のための余分な処理性能を要せずに、仮符号化を実施して本符号化時の初期化パラメータを決定し本符号化の符号化効率を向上させる。【解決手段】入力画像に対して二値化処理を含む符号化を行う符号化部１０１〜１０３と、生成された二値データを入力として算術符号化を行う算術符号化部１０５〜１０７と、算術符号化部が出力する符号データの符号量を計測する符号量計測部１０９と、本符号化を開始する前の期間に、入力されている入力画像を異なる初期化パラメータで仮符号化させ、仮符号化した結果から最も符号化効率がよかった初期化パラメータを決定して本符号化を行うようにする制御部１１０と、を設ける。【選択図】図１
2016208153.tif 000002
【特許請求の範囲】
【請求項１】
入力画像を各色成分毎に独立して符号化する符号化装置であって、
前記各色成分に対応して設け、二値化処理を含む符号化を行う複数の符号化手段と、
前記二値化処理により生成された二値データを入力として算術符号化を行う複数の算術符号化手段と、
前記複数の算術符号化手段がそれぞれ出力する符号データの符号量を計測する符号量計測手段と、
記録媒体に記録される符号データを生成する第１の符号化処理を開始する前の期間に、入力されている入力画像をそれぞれ異なる初期化パラメータで前記複数の算術符号化手段により符号化する第２の符号化処理を行わせ、前記符号量計測手段により計測された符号量が最も少なかった初期化パラメータを用いて前記第１の符号化処理を行うようにする制御手段とを有することを特徴とする符号化装置。
【請求項２】
前記第２の符号化処理では、前記入力画像の代表成分を前記複数の算術符号化手段により符号化することを特徴とする請求項１記載の符号化装置。
【請求項３】
前記制御手段は、設定可能なすべての前記初期化パラメータで前記第２の符号化処理を行わせるように前記複数の算術符号化手段を制御することを特徴とする請求項１又は２記載の符号化装置。
【請求項４】
前記入力画像における各色成分の相関を検出する相関検出手段を有し、
前記制御手段は、各色成分の相関がある場合には前記第２の符号化処理によって得られた初期化パラメータを用いて前記第１の符号化処理を行うように前記複数の算術符号化手段を制御し、各色成分の相関が無い場合には所定の初期化パラメータを用いて前記第１の符号化処理を行うように前記複数の算術符号化手段を制御することを特徴とする請求項１〜３の何れか１項に記載の符号化装置。
【請求項５】
前記相関検出手段は、各色成分の所定のブロック毎の分散値を算出して積算し、積算した分散値の差が所定の閾値以上である場合には相関が無いと判断し、積算した分散値の差が前記所定の閾値未満である場合には相関があると判断して、相関の有無を示す信号を前記制御手段に出力することを特徴とする請求項４記載の符号化装置。
【請求項６】
入力画像の各色成分がＲ（赤）：Ｇ（緑）：Ｂ（青）＝４：４：４のフォーマットで構成されることを特徴とする請求項１〜５の何れか１項に記載の符号化装置。
【請求項７】
前記第２の符号化処理では、１番目の入力画像をフレーム内予測符号化で符号化し、２番目の入力画像を前方の予測符号化又は双方向の予測符号化で符号化することを特徴とする請求項１〜６の何れか１項に記載の符号化装置。
【請求項８】
入力画像を各色成分毎に独立して符号化する符号化方法であって、
二値化処理を含む符号化を行う工程と、
前記二値化処理により生成された二値データを入力として算術符号化を行う工程と、
記録媒体に記録される符号データを生成する符号化処理を開始する前の期間に、入力されている入力画像をそれぞれ異なる初期化パラメータで算術符号化により符号化し、符号データの符号量を計測する工程と、
計測された符号量が最も少なかった初期化パラメータを用いて、記録媒体に記録される符号データを生成する符号化処理を行う工程とを有することを特徴とする符号化方法。
【発明の詳細な説明】
【技術分野】
【０００１】
本発明は、符号化装置及び符号化方法に関する。
【背景技術】
【０００２】
近年、高能率な符号化方式としてＨ．２６４方式が採用されている。Ｈ．２６４方式などの符号化において、符号化処理が開始されるまでの時間を利用して仮の符号化処理を行い、得られた情報を符号化処理にフィードフォワードする技術が提案されている（例えば、特許文献１参照）。以下、本明細書において、記録媒体に記録されるバイトストリームを生成する符号化処理を本符号化と呼び、記録媒体に記録されるバイトストリームは生成せずに情報をフィードフォワードするための符号化処理を仮符号化と呼ぶ。
【０００３】
また、近年のディスプレイの高解像度化や高階調化に伴い、色差信号をダウンサンプリングしない４：４：４フォーマットでの符号化装置が検討されている。Ｈ．２６４方式でも４：４：４フォーマットでの符号化方式が規定されている。４：４：４フォーマットでの符号化時にも仮符号化処理を適応することが可能であり、４：２：０フォーマットや４：２：２フォーマットでの符号化時の仮符号化処理と同様の効果が得られる。
【０００４】
Ｈ．２６４方式ではエントロピー符号化に二値算術符号化を用いたＣＡＢＡＣ（Context-Adaptive Binary Arithmetic Coding）と呼ばれる方式が採用されている。ＣＡＢＡＣは、処理内容の違いから二値化部と二値算術符号化部とに分けられる。ＣＡＢＡＣでは、ピクチャの二値算術符号化を開始する際に、予測シンボル情報と発生確率情報とから構成されるコンテキスト情報を初期化する。予測シンボル情報とは、１ビットの情報であり、二値化部が出力した二値のうち、発生する確率が統計的に高いシンボルの値である。発生確率情報とは、予測シンボルの発生確率を間接的に示すデータである。コンテキスト情報を初期化する際に用いる情報として、輝度信号に対するスライスの量子化パラメータ（SliceQPy）、及びコンテキスト情報の初期化パラメータ（cabac_init_idc）という２変数がＨ．２６４の勧告書で定義されている。コンテキスト情報の初期化パラメータは、０、１、２のいずれかの値を取る。
【０００５】
コンテキスト情報は、二値算術符号化処理を進めていく過程で更新を続け、ピクチャに適した状態にすることで符号化効率を上げている。よってピクチャの符号化開始時においては、コンテキスト情報が符号化対象のピクチャに適した状態にはなっていないことがあり、符号化効率が落ちるという課題があった。この課題に対してピクチャの所定のシンボル数を実際に二値算術符号化し、いずれの初期化パラメータを用いたコンテキスト情報が最も符号化効率が良いかを計測し、符号化開始時のコンテキスト情報を決める技術が提案されている（例えば、特許文献２参照）。
【先行技術文献】
【特許文献】
【０００６】
【特許文献１】特開２００８−１２４９３７号公報
【特許文献２】特開２００６−２７９３３３号公報
【発明の概要】
【発明が解決しようとする課題】
【０００７】
しかしながら、従来技術では、本符号化の二値算術符号化処理の開始前に実際に符号化処理を実施しているために余分な処理性能が必要となっている。また、ピクチャの所定のシンボル数の発生ビットでのみ初期化パラメータを決定しているので、ピクチャの上下でシンボルの性質が異なる場合などには適切なコンテキスト情報を選択できないという問題がある。
【０００８】
本発明は、このような事情に鑑みてなされたものであり、仮符号化のための余分な処理性能を要せずに、仮符号化を実施して本符号化時の初期化パラメータを決定し本符号化の符号化効率を向上させることを目的とする。
【課題を解決するための手段】
【０００９】
本発明に係る符号化装置は、入力画像を各色成分毎に独立して符号化する符号化装置であって、前記各色成分に対応して設け、二値化処理を含む符号化を行う複数の符号化手段と、前記二値化処理により生成された二値データを入力として算術符号化を行う複数の算術符号化手段と、前記複数の算術符号化手段がそれぞれ出力する符号データの符号量を計測する符号量計測手段と、記録媒体に記録される符号データを生成する第１の符号化処理を開始する前の期間に、入力されている入力画像をそれぞれ異なる初期化パラメータで前記複数の算術符号化手段により符号化する第２の符号化処理を行わせ、前記符号量計測手段により計測された符号量が最も少なかった初期化パラメータを用いて前記第１の符号化処理を行うようにする制御手段とを有することを特徴とする。
【発明の効果】
【００１０】
本発明によれば、本符号化を開始する前に異なる初期化パラメータで符号化を実施した結果から本符号化時の初期化パラメータを決定することで、余分な処理性能を要せずに、本符号化の符号化効率を向上させることができる。
【図面の簡単な説明】
【００１１】
【図１】第１の実施形態における符号化装置の構成例を示す図である。
【図２】第１の実施形態における入力画像の入力順、本符号化順、仮符号化順の例を示す図である。
【図３】第１の実施形態における符号化装置の動作例を示すフローチャートである。
【図４】第２の実施形態における符号化装置の構成例を示す図である。
【図５】本実施形態における符号化装置を実現可能なコンピュータ機能を示す図である。
【発明を実施するための形態】
【００１２】
以下、本発明の実施形態を図面に基づいて説明する。本発明の実施形態においては、例えば入力画像のＲ（赤）：Ｇ（緑）：Ｂ（青）の各色成分が４：４：４のフォーマット（４：４：４フォーマット）で構成される。
【００１３】
（第１の実施形態）
本発明の第１の実施形態について説明する。
図１は、第１の実施形態における符号化装置の構成例を示すブロック図である。第１の実施形態における符号化装置は、複数の符号化部１０１、１０２、１０３、スイッチ１０４、複数の二値算術符号化部１０５、１０６、１０７、多重化部１０８、符号量計測部１０９、及び制御部１１０を有する。
【００１４】
符号化部１０１、１０２、１０３の各々は、動き補償部、動き探索部、直交変換部、量子化部、二値化処理部、逆直交変換部、逆量子化部、及びフレームメモリ等を有し、Ｈ．２６４方式での符号化における二値算術符号化前までの符号化を行う。符号化部１０１、１０２、１０３は各色成分に対応するように設けられており、符号化部１０１は入力画像Ｒを入力とし、符号化部１０２は入力画像Ｇを入力とし、符号化部１０３は入力画像Ｂを入力とし、各色成分毎に独立して符号化処理を行う。入力画像ＲはＲＧＢのＲプレーンであり、入力画像ＧはＲＧＢのＧプレーンであり、入力画像ＢはＲＧＢのＢプレーンである。
【００１５】
符号化部１０１、１０２、１０３内での二値化処理により生成された二値データは、スイッチ１０４に出力される。ここで、二値データは、動きベクトル、直交変換係数、量子化パラメータ、予測モード等をＨ．２６４の規格で定められたテーブルに基づき二値に変換されたデータである。
【００１６】
スイッチ１０４は、本符号化時には、符号化部１０１からの二値データを二値算術符号化部１０５に出力し、符号化部１０２からの二値データを二値算術符号化部１０６に出力し、符号化部１０３からの二値データを二値算術符号化部１０７に出力する。また、スイッチ１０４は、仮符号化時には、符号化部１０１、１０２、１０３の何れかからの二値データを代表画像の二値データとし、すべての二値算術符号化部１０５、１０６、１０７に出力する。
【００１７】
二値算術符号化部１０５、１０６、１０７の各々は、スイッチ１０４から出力される二値データを入力として二値算術符号化を行う。二値算術符号化部１０５、１０６、１０７も各色成分に対応するように設けられている。二値算術符号化部１０５、１０６、１０７の一連の動作は、ピクチャ符号化開始時において、量子化パラメータ及び初期化パラメータを用いてコンテキスト情報の初期化を行う。次に、二値データを二値算術符号化して、コンテキスト情報の更新を１ビット毎に行う。初期化パラメータは、制御部１１０から入力される。また、二値算術符号化部１０５、１０６、１０７の各々は、生成した符号データを多重化部１０８に出力し、その符号データの符号量を符号量計測部１０９に出力する。
【００１８】
多重化部１０８は、制御部１１０等で生成されるヘッダ情報、二値算術符号化部１０５、１０６、１０７から出力される符号データ、及び不図示の音声符号化処理部から出力される音声データ等を多重化し最終的なバイトストリームを生成する。多重化部１０８によって多重化されたバイトストリームは、不図示の記録媒体に記録される。符号量計測部１０９は、二値算術符号化部１０５、１０６、１０７からそれぞれ出力された符号量を計測する。計測された符号量を基に各二値算術符号化部１０５、１０６、１０７の符号量を比較し、最も符号量が小さかった初期化パラメータ値を制御部１１０に保持させる。
【００１９】
制御部１１０は、符号化装置全体を制御する。制御部１１０は、例えば符号化部１０１、１０２、１０３、二値算術符号化部１０５、１０６、１０７、及び多重化部１０８に対して、初期設定、割り込み制御、動作の開始制御等を行う。
【００２０】
次に、Ｈ．２６４方式における４：４：４フォーマットの符号化処理を行う際の動作を図２及び図３を用いて説明する。図２を用いて仮符号化時の制御部１１０の動作を説明する。図２において、「入力順」は、入力画像が符号化装置に入力されてくるピクチャの順番を示している。また、「本符号化順」は、符号化装置がピクチャを本符号化するピクチャの順番を示しており、「仮符号化順」は、符号化装置がピクチャを仮符号化するピクチャの順番を示している。
【００２１】
図２におけるピクチャ内のＩ、Ｐ、Ｂの記号はピクチャタイプを示しており、ピクチャ内に記載されている数値は本符号化の際の符号化順を示している。Ｉはフレーム内予測符号化で符号化を行うＩピクチャを示し、Ｐは前方予測符号化で符号化を行うＰピクチャを示し、Ｂは双方向予測符号化で符号化を行うＢピクチャを示している。
【００２２】
図２に示した例において、符号化装置には、Ｂ１ピクチャ２０１、Ｂ２ピクチャ２０２の順で入力される。入力画像は、不図示のフレームメモリに蓄積される。Ｂ１ピクチャ２０１は、本符号化時には２番目にＢピクチャとして符号化され、Ｂ２ピクチャ２０２は、本符号化時には３番目にＢピクチャとして符号化される。制御部１１０は、Ｂ１ピクチャ２０１及びＢ２ピクチャ２０２を入力すると、本来はＢピクチャとして符号化されるＢ１ピクチャ２０１を１番目にＩピクチャ２０３として仮符号化するよう符号化装置を制御する。また、制御部１１０は、本来はＢピクチャとして符号化されるＢ２ピクチャ２０２を２番目にＰピクチャ２０４として仮符号化するよう符号化装置を制御する。ここで、仮符号化処理によって生成されたバイトストリームは記録媒体には記録されない。
【００２３】
以下に、本実施形態における符号化装置での仮符号化から本符号化までの制御部１１０の動作を説明する。図３は、本実施形態における符号化装置の動作例を示すフローチャートである。本実施形態における符号化装置での制御部１１０の制御の大まかな流れは、仮符号化の際に代表画像（入力画像の代表成分）を用いて二値化処理を実行させ、生成された二値データを用いて各初期化パラメータで二値算術符号化処理を実行させる。そして、仮符号化の際に最も符号化効率がよかった初期化パラメータを用いて本符号化処理を行うように制御を行う。
【００２４】
ステップ３０１にて、制御部１１０は、代表画像（入力画像の代表成分）の符号化を指示する。例えば代表画像（入力画像の代表成分）がＧプレーンである場合、制御部１１０は、入力画像Ｇを入力とする符号化部１０２に対して符号化処理の実行を指示する。ステップ３０２にて、制御部１１０は、スイッチ１０４の出力先を決める制御を行う。制御部１１０は、仮符号化時には代表画像の二値データをすべての二値算術符号化部１０５、１０６、１０７に出力するようにスイッチ１０４を制御する。代表画像がＧプレーンである場合、制御部１１０は、符号化部１０２から出力された二値データをすべての二値算術符号化部１０５、１０６、１０７に出力するように制御する。
【００２５】
ステップ３０３にて、制御部１１０は、仮符号化しているピクチャタイプがＰピクチャであるかもしくはＢピクチャであるかを判断している。例えば図２を用いて説明すると、Ｐピクチャ２０４がＰピクチャであるかＢピクチャであるか否かを判断している。仮符号化しているピクチャタイプがＰピクチャもしくはＢピクチャであった場合には、ステップ３０４に遷移し、ＰピクチャもしくはＢピクチャでなかった場合には、ステップ３０１に遷移する。
【００２６】
ステップ３０４にて、制御部１１０は、二値算術符号化部１０５、１０６、１０７に対して二値算術符号化処理の実行を指示する。制御部１１０は、例えば二値算術符号化部１０５には初期化パラメータの値を０として開始指示を出し、二値算術符号化部１０６には初期化パラメータの値を１として開始指示を出し、二値算術符号化部１０７には初期化パラメータの値を２として開始指示を出す。各二値算術符号化部１０５、１０６、１０７に対して開始指示を出した後はステップ３０５に遷移する。
【００２７】
ステップ３０５にて、符号量計測部１０９が、ステップ３０４において開始指示されたそれぞれの二値算術符号化部１０５、１０６、１０７から符号量が出力されるのを待つ。符号量計測部１０９が、各二値算術符号化部１０５、１０６、１０７からの符号量を入力し終えたらステップ３０６に遷移する。ステップ３０４及びステップ３０５の動作は、例えば設定可能なすべての初期化パラメータでの二値算術符号化処理が完了するまで行われる。
【００２８】
ステップ３０６にて、制御部１１０は、各二値算術符号化部１０５、１０６、１０７の符号量を比較し、最も符号量が小さい符号データを生成した初期化パラメータを保持する。初期化パラメータは、仮符号化しているピクチャタイプ毎に保持する。例えばＰピクチャの初期化パラメータ、Ｂピクチャの初期化パラメータをそれぞれ保持する。初期化パラメータは、例えば制御部内部のＳＲＡＭ等に保持される。
【００２９】
ステップ３０７にて、制御部１１０は、設定可能なすべての初期化パラメータでの仮符号化処理が終了したか否かを判断する。仮符号化処理が終了した場合には、ステップ３０８に遷移し、仮符号化処理が終了していない場合には、ステップ３０１に遷移する。例えば図２を用いて説明すると、Ｐピクチャ２０４の二値算術符号化処理が終了したときに仮符号化処理が終了した判断する。仮符号化処理の最後のピクチャタイプ等は、符号化時のＧＯＰ（Group Of Picture）構造によって変わる。
【００３０】
ステップ３０８にて、制御部１１０は、二値算術符号化処理前までの本符号化処理を実行させる。ステップ３０９にて、制御部１１０は、本符号化処理しているピクチャが符号化順における最初のＰピクチャもしくはＢピクチャであるか否かを判断する。ステップ３０６でＰピクチャの初期化パラメータのみを保持した場合には、本符号化時の最初のＰピクチャを符号化しているときのみステップ３１０に遷移する。また、ステップ３０６でＢピクチャの初期化パラメータのみを保持した場合には、本符号化時の最初のＢピクチャを符号化しているときのみステップ３１０に遷移する。また、ステップ３０６でＰピクチャ及びＢピクチャの両方の初期化パラメータを保持した場合には、本符号化時の最初のＰピクチャ及び本符号化時の最初のＢピクチャを符号化しているときにステップ３１０に遷移する。これら以外の場合には、ステップ３１１に遷移する。
【００３１】
ステップ３１０にて、制御部１１０は、ステップ３０６で保持した初期化パラメータを用いて二値算術符号化部のコンテキスト情報を初期化し、二値算術符号化処理を実行させる。本符号化する符号化対象ピクチャがＰピクチャである場合には、ステップ３０６で保持したＰピクチャの初期化パラメータを用いてコンテキスト情報を初期化する。また、本符号化する符号化対象のピクチャがＢピクチャである場合には、ステップ３０６で保持したＢピクチャの初期化パラメータを用いてコンテキスト情報を初期化する。
【００３２】
ステップ３１１にて、制御部１１０が定めた初期化パラメータでコンテキスト情報を初期化し、二値算術符号化処理を実行させる。なお、初期パラメータの値は０、１、２のいずれであっても良い。
【００３３】
ステップ３１２にて、制御部１１０は、二値算術符号化処理が完了したピクチャが入力された画像の最後のピクチャであるか否かを判断する。最後のピクチャである場合には本符号化処理を終了し、最後のピクチャでない場合には、ステップ３０８に遷移する。
【００３４】
本実施形態によれば、４：４：４フォーマットでの符号化処理において、本符号化を開始する前の期間に仮符号化を実施し、ピクチャの全シンボルに対してそれぞれの初期化パラメータで符号化を実施した結果から符号化時の初期化パラメータを決定する。これにより、仮符号化で最も符号量が少なかった初期化パラメータを用いて、各色成分の本符号化を行うことができ、本符号化の符号化効率を向上させることができる。また、代表画像を用いることにより、初期化パラメータの値が０、１、２での仮符号化処理をＲ用の二値算術符号化部１０５、Ｇ用の二値算術符号化部１０６、Ｂ用の二値算術符号化部１０７にそれぞれ割り当てているため、特別なリソースの追加は必要がない。なお、前述した説明では、二値算術符号化部が並列である場合を示したが並列でなくても良い。
【００３５】
（第２の実施形態）
次に、本発明の第２の実施形態について説明する。
図４は、第２の実施形態における符号化装置の構成例を示すブロック図である。第２の実施形態における符号化装置は、複数の符号化部４０１、４０２、４０３、スイッチ４０４、複数の二値算術符号化部４０５、４０６、４０７、多重化部４０８、符号量計測部４０９、制御部４１０、及び画像相関検出部４１１を有する。
【００３６】
符号化部４０１、４０２、４０３、スイッチ４０４、及び二値算術符号化部４０５、４０６、４０７は、図１に示した符号化部１０１、１０２、１０３、スイッチ１０４、及び二値算術符号化部１０５、１０６、１０７と同じであるので説明は省略する。また、多重化部４０８、符号量計測部４０９、及び制御部４１０は、図１に示した多重化部１０８、符号量計測部１０９、及び制御部１１０と同じであるので説明は省略する。
【００３７】
画像相関検出部４１１は、ＲＧＢのＲプレーン、Ｇプレーン、及びＢプレーンの画像が入力され、各プレーン（各色成分）の相関を検出する。画像相関検出部４１１は、例えば各プレーンの所定のブロック毎の分散値を算出して積算する。そして、各プレーンの積算した分散値の差が所定の閾値以上である場合には、各プレーンに相関が無いと判断し、分散値の差が所定の閾値未満である場合には、各プレーンに相関があると判断する。なお、画像の相関を検出するアルゴリズムは前述のような分散値を求める方式でも良いし、他のアルゴリズムでも良い。
【００３８】
第２の実施形態における符号化装置では、仮符号化処理時において、制御部４１０には画像相関検出部４１１から各プレーンの相関の有無を示す信号が入力される。ここで、各プレーンの相関がない場合、代表画像を用いて最も符号化効率が良い初期化パラメータを算出し、それを用いて他のプレーンの画像の二値算術符号化処理を実施しても、プレーン間の相関がないために符号化効率が下がるリスクが生じる。
【００３９】
これを回避するために、制御部４１０は、各プレーンの相関がある場合、前述したように代表画像を用いて最も符号化効率が良い初期化パラメータを算出して保持し、本符号化処理時には保持した初期化パラメータを用いて本符号化処理を行う。一方、各プレーンの相関が無い場合、制御部４１０が定めた所定の初期化パラメータを用いて本符号化処理を行うことで、二値算術符号化処理の符号化効率が下がることを低減する。なお、この動作以外の第２の実施形態における符号化装置の動作は、第１の実施形態における符号化装置の動作と同様である。
【００４０】
以上のように第２の実施形態によれば、各プレーンの相関がある場合にのみ仮符号化を実施して、仮符号化によって得られた符号化効率が良い初期化パラメータを用いて各色成分の本符号化を行うことができ、本符号化の符号化効率を向上させることができる。
【００４１】
（本発明の他の実施形態）
また、本発明は、以下の処理を実行することによっても実現される。即ち、前述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【００４２】
例えば、第１及び第２の実施形態に示した符号化装置は、図５に示すようなコンピュータ機能５００を有し、そのＣＰＵ５０１により第１及び第２の実施形態での動作が実施される。コンピュータ機能５００は、図５に示すように、ＣＰＵ５０１と、ＲＯＭ５０２と、ＲＡＭ５０３とを備える。また、操作部（ＣＯＮＳ）５０９のコントローラ（ＣＯＮＳＣ）５０５と、表示部としてのディスプレイ（ＤＩＳＰ）５１０のディスプレイコントローラ（ＤＩＳＰＣ）５０６とを備える。さらに、ハードディスク（ＨＤ）５１１、及びフレキシブルディスク等の記憶デバイス（ＳＴＤ）５１２のコントローラ（ＤＣＯＮＴ）５０７と、ネットワークインタフェースカード（ＮＩＣ）５０８とを備える。それら機能部５０１、５０２、５０３、５０５、５０６、５０７、５０８は、システムバス５０４を介して互いに通信可能に接続された構成としている。
【００４３】
ＣＰＵ５０１は、ＲＯＭ５０２又はＨＤ５１１に記憶されたソフトウェア、又はＳＴＤ５１２より供給されるソフトウェアを実行することで、システムバス５０４に接続された各構成部を総括的に制御する。すなわち、ＣＰＵ５０１は、前述したような動作を行うための処理プログラムを、ＲＯＭ５０２、ＨＤ５１１、又はＳＴＤ５１２から読み出して実行することで、第１及び第２の実施形態での動作を実現するための制御を行う。ＲＡＭ５０３は、ＣＰＵ５０１の主メモリ又はワークエリア等として機能する。ＣＯＮＳＣ５０５は、ＣＯＮＳ５０９からの指示入力を制御する。ＤＩＳＰＣ５０６は、ＤＩＳＰ５１０の表示を制御する。ＤＣＯＮＴ５０７は、ブートプログラム、種々のアプリケーション、ユーザファイル、ネットワーク管理プログラム、及び第１及び第２の実施形態における前記処理プログラム等を記憶するＨＤ５１１及びＳＴＤ５１２とのアクセスを制御する。ＮＩＣ５０８はネットワーク５１３上の他の装置と双方向にデータをやりとりする。
【００４４】
なお、前記実施形態は、何れも本発明を実施するにあたっての具体化のほんの一例を示したものに過ぎず、これらによって本発明の技術的範囲が限定的に解釈されてはならないものである。すなわち、本発明はその技術思想、又はその主要な特徴から逸脱することなく、様々な形で実施することができる。
【符号の説明】
【００４５】
１０１、１０２、１０３、４０１、４０２、４０３：符号化部  １０４、４０４：スイッチ  １０５、１０６、１０７、４０５、４０６、４０７：二値算術符号化部  １０８、４０８：多重化部  １０９、４０９：符号量計測部  １１０、４１０：制御部  ４１１：画像相関検出部
【図１】
2016208153.tif 000003
【図２】
2016208153.tif 000004
【図３】
2016208153.tif 000005
【図４】
2016208153.tif 000006
【図５】
2016208153.tif 000007